【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
１の演出期間において、所定の演出態様が少なくとも１回表示される特定演出を実行する特定演出実行手段と、
前記所定の演出態様に含まれる第１の演出態様の表示中に予め定められた特定条件が成立したかを判別する条件判別手段と、
その条件判別手段の判別結果に応じて、前記第１の演出態様の表示時間を少なくとも決定する表示時間決定手段と、
前記所定の演出態様の表示中に前記第１の演出態様の表示時間が終了したことに基づいて、当該所定の演出態様の一部として第２の演出態様を表示させることが可能な第２演出態様表示手段と、
前記所定の演出態様が終了した後において、遊技者にとっての有利度合いを示すための所定の報知を行う報知手段と、
その報知手段による前記所定の報知の種別として、前記所定の演出態様が終了したタイミングに応じた種別を決定する報知種別決定手段と、を備え、
前記表示時間決定手段は、前記条件判別手段により前記特定条件が成立したと判別された場合よりも、成立していないと判別された場合の方が、長い表示時間とする手段を備えたものであり、
前記所定の演出態様は、当該所定の演出態様に含まれる前記第１の演出態様の表示中に前記特定条件が成立したか否かによらず、表示時間が共通となるように構成されているものであり、
前記特定演出は、前記特定演出の開始後における経過時間が予め定められた上限時間になったことに基づいて終了されるように構成されているものであることを特徴とする遊技機。
【請求項２】
前記所定の演出態様を表示させることが可能な表示手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、液晶表示装置等の表示装置が設けられた遊技機が知られている。この従来型の遊技機では、表示装置において図柄の変動表示が行われ、予め定められた図柄が停止表示されることで、遊技者に有利な当たり遊技が付与される。また、表示装置には、図柄以外にもキャラクタや風景等の様々な画像が表示され、多種多様な興趣演出を実行することで遊技の興趣向上を図っていた。
【手続補正３】
【補正対象書類名】明細書
【補正対象項目名】０００６
【補正方法】変更
【補正の内容】
【０００６】
この目的を達成するために請求項１記載の遊技機は、１の演出期間において、所定の演出態様が少なくとも１回表示される特定演出を実行する特定演出実行手段と、前記所定の演出態様に含まれる第１の演出態様の表示中に予め定められた特定条件が成立したかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、前記所定の演出態様が終了した後において、遊技者にとっての有利度合いを示すための所定の報知を行う報知手段と、その報知手段による前記所定の報知の種別として、前記所定の演出態様が終了したタイミングに応じた種別を決定する報知種別決定手段と、を備え、前記表示時間決定手段は、前記条件判別手段により前記特定条件が成立したと判別された場合よりも、成立していないと判別された場合の方が、長い表示時間とする手段を備えたものであり、前記所定の演出態様は、当該所定の演出態様に含まれる前記第１の演出態様の表示中に前記特定条件が成立したか否かによらず、表示時間が共通となるように構成されているものであり、前記特定演出は、前記特定演出の開始後における経過時間が予め定められた上限時間になったことに基づいて終了されるように構成されているものである。
【手続補正４】
【補正対象書類名】明細書
【補正対象項目名】０００７
【補正方法】変更
【補正の内容】
【０００７】
請求項２記載の遊技機は、請求項１記載の遊技機において、前記所定の演出態様を表示させることが可能な表示手段を備える。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明の遊技機によれば、１の演出期間において、所定の演出態様が少なくとも１回表示される特定演出を実行する特定演出実行手段と、前記所定の演出態様に含まれる第１の演出態様の表示中に予め定められた特定条件が成立したかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、前記所定の演出態様が終了した後において、遊技者にとっての有利度合いを示すための所定の報知を行う報知手段と、その報知手段による前記所定の報知の種別として、前記所定の演出態様が終了したタイミングに応じた種別を決定する報知種別決定手段と、を備え、前記表示時間決定手段は、前記条件判別手段により前記特定条件が成立したと判別された場合よりも、成立していないと判別された場合の方が、長い表示時間とする手段を備えたものであり、前記所定の演出態様は、当該所定の演出態様に含まれる前記第１の演出態様の表示中に前記特定条件が成立したか否かによらず、表示時間が共通となるように構成されているものであり、前記特定演出は、前記特定演出の開始後における経過時間が予め定められた上限時間になったことに基づいて終了されるように構成されているものである。
【手続補正９】
【補正対象書類名】明細書
【補正対象項目名】００１２
【補正方法】変更
【補正の内容】
【００１２】
これにより、遊技者の遊技に対する興趣を向上させることができるという効果がある。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】１１１１
【補正方法】変更
【補正の内容】
【１１１１】
１０                                  パチンコ機（遊技機）
２２                                  枠ボタン（操作手段）
８１                                  第３図柄表示装置（表示手段）
Ｓ３０７，Ｓ３０９                    動的表示時間決定手段
Ｓ３１０                              動的表示実行手段
Ｓ４１０２ 条件判別手段
Ｓ４１０３                            第２態様表示手段
Ｓ４２１０                            表示回数計数手段
Ｓ４２１１ 第２演出態様表示手段
Ｓ４４０２                            特定演出実行手段
Ｓ４４０３                            判別期間設定手段の一部
Ｓ４５０３                            第１態様表示手段
Ｓ４６０５                            判別期間設定手段の一部
Ｓ４６０７                            演出時間決定手段
Ｓ４７０３                            第３演出時間決定手段
Ｓ５１０６ 表示時間決定手段
Ｓ５１０９，Ｓ５１１５，Ｓ５１１８ 報知手段
Ｓ５５０５                            上限回数設定手段